(57)【要約】  本発明は、鼻孔の周りに隙間なく密着して鼻孔を完全に取り囲むように人体工学的機能性に大きく優れ、黄砂や微細ほこりをフィルタリングする通気構造の鼻孔カバーを有する顔面マスクに関する。本発明による通気構造の鼻孔カバーを有する顔面マスクは、着用者の鼻に対応する部位に通気孔（１１）が形成される顔面遮蔽部（１０）と、前記顔面遮蔽部（１０）に締結され、着用者の鼻孔（鼻の孔）に連通する１個以上の通気孔（２１）を有し、着用者の鼻孔の周りに密着する通気構造の鼻孔カバー（２０）とを含んでなる。【選択図】図１
2021505785.tif 000002
【特許請求の範囲】
【請求項１】
着用者の鼻に対応する部位に通気孔（１１）が形成される顔面遮蔽部（１０）と、前記顔面遮蔽部（１０）に締結され、着用者の鼻孔に連通する１個以上の通気孔（２１）を有し、着用者の鼻孔の周りに密着する通気構造の鼻孔カバー（２０）とを含んでなる顔面マスクであって、
前記鼻孔カバー（２０）が、
前記通気孔（２１）の中央部を水平方向に横切り、胴体前面の左右側部（２９）にわたって形成される横溝（２２）と、
胴体前面の中央及び左右側に、それぞれ前記横溝（２２）と交差して垂直方向に形成される中央縦溝（２３）及び左右縦溝（２３’）と、
前記左右縦溝（２３’）との境界部に垂直方向に隆起した左右垂直端面部（２８）を有する左右側部（２９）と、
胴体後面の通気孔（２１）から左右両端の方向に凹部（２５ａ）と凸部（２５ｂ）が連結されてなる小鼻密着部（２５）と、を含んでなり、
前記左右縦溝（２３’）を基準にして、前記小鼻密着部（２５）を含む胴体の左右側部（２９）が胴体の中央部に比べて相対的に大きな体積のバルキー（ｂｕｌｋｙ）な立体的形状を有する、通気構造の鼻孔カバーを有する顔面マスク。
【請求項２】
前記鼻孔カバー（２０）に対応する顔面遮蔽部（１０）の外側面に着脱可能に付着されるマスクフィルター（３０）をさらに含む、請求項１に記載の通気構造の鼻孔カバーを有する顔面マスク。
【請求項３】
口を遮る前記顔面遮蔽部（１０）の部位に口のような形状に開けて使うことができる切開口（１５）をさらに含む、請求項１に記載の通気構造の鼻孔カバーを有する顔面マスク。
【請求項４】
前記鼻孔カバー（２０）は、顔面遮蔽部（１０）との締結のために、その左右側部（２９）に締結用鉄片埋込部（２７）を含む、請求項１に記載の通気構造の鼻孔カバーを有する顔面マスク。
【請求項５】
前記顔面遮蔽部（１０）はその内外側に固定される締結具（４０、５０、６０、７０）を含み、前記締結具（４０、５０、６０、７０）は鼻孔カバー（２０）の締結用鉄片埋込部（２７）が磁力によって固着されるように締結用磁性体（４１、６５、７６）を含む、請求項４に記載の通気構造の鼻孔カバーを有する顔面マスク。
【請求項６】
前記顔面遮蔽部（１０）の内外側に固定される締結具が、顔面遮蔽部（１０）の内側に固定される内側締結具（４０）と、顔面遮蔽部（１０）の外側に固定される外側締結具（５０）とにそれぞれ分離されてなる、請求項５に記載の通気構造の鼻孔カバーを有する顔面マスク。
【請求項７】
前記顔面遮蔽部（１０）の内外側に固定される締結具が、内側締結具（６１）と外側締結具（６２）の上端部が互いに連結されることによって内側締結具（６１）と外側締結具（６２）が一体に成形される内外側一体型締結具（６０）である、請求項５に記載の通気構造の鼻孔カバーを有する顔面マスク。
【請求項８】
前記顔面遮蔽部（１０）の内外側に固定される締結具が、内側締結具（７１）と外側締結具（７２）が中央部の通気孔（７５）の周りで接合されてなる接合部（７３）と前記接合部の周りに形成される非接合部（７４）とからなる内外側接合型締結具（７０）である、請求項５に記載の通気構造の鼻孔カバーを有する顔面マスク。
【請求項９】
前記顔面遮蔽部（１０）の通気孔（１１）が外部に露出されないように顔面遮蔽部（１０）に固定的に付着される網糸布（８０）をさらに含む、請求項１に記載の通気構造の鼻孔カバーを有する顔面マスク。
【請求項１０】
着用者の鼻に対応する部位に通気孔（１１）が形成される顔面遮蔽部（１０）に締結され、着用者の鼻孔に連通する１個以上の通気孔（２１）を有し、着用者の鼻孔の周りに密着する通気構造の顔面マスク用鼻孔カバー（２０）であって、
前記通気孔（２１）の中央部を水平方向に横切り、胴体前面の左右側部（２９）にわたって形成される横溝（２２）と、
胴体前面の中央及び左右側に、それぞれ前記横溝（２２）と交差して垂直方向に形成される中央縦溝（２３）及び左右縦溝（２３’）と、
前記左右縦溝（２３’）との境界部に垂直方向に隆起した左右垂直端面部（２８）を有する左右側部（２９）と、
胴体後面の通気孔（２１）から左右両端の方向に凹部（２５ａ）と凸部（２５ｂ）が連結されてなる小鼻密着部（２５）と、を含んでなり、
前記左右縦溝（２３’）を基準にして、前記小鼻密着部（２５）を含む胴体の左右側部（２９）が胴体の中央部に比べて相対的に大きな体積のバルキー（ｂｕｌｋｙ）な立体的形状を有する、顔面マスク用通気構造の鼻孔カバー。
【発明の詳細な説明】
【技術分野】
【０００１】
本発明は、顔面マスクに関し、より詳しくは、顔面の鼻、口、顎及び首の周辺を取り囲むように構成され、着用者の呼吸が容易であり、呼吸過程で大気中の微細ほこりをフィルタリングするように構成される通気構造の鼻孔カバーを有する顔面マスクに関する。
【背景技術】
【０００２】
余暇活動やレジャースポーツ活動のために野外で長時間を過ごす場合、太陽光の強い紫外線や乾燥して冷たい風によって皮膚が灼かれるか老和しやすい。
また、頻繁に発生して呼吸器疾患などを誘発する大気中の微細ほこりも余暇活動及びレジャースポーツ活動を妨げる環境因子の一つである。
【０００３】
太陽光を遮断するとともに微細ほこりによる呼吸器疾患などを予防するために帽子とマスクを主に着用しているが、帽子は太陽光の照射角度によって顔面の一部が太陽光に露出されるか、野外の乾燥した風又は冬季の冷たい風に顔面が露出されるため、顔面を完全に保護するのに不十分である。
マスクは、長時間の着用の際、身体活動や顔面の動きなどによって随時着用位置を矯正しなければならないなどの煩わしさを持っている。
【０００４】
このような問題点を解決するために顔面マスクが提案された。顔面マスクは鼻と口の周辺を保護するとともに顎と首の周辺も取り囲むようになっているので、太陽光や冬期の冷たい風から顔などを保護することができる利点を持っていた。
【０００５】
しかし、顔面マスクは別途の通気口を備えていなくて長時間の着用時に呼吸が不便であり、特に着用者がメガネをかけている場合、呼吸によってメガネのレンズが潤むことが発生する問題点があった。
【０００６】
また、顔面マスクは普通織物から製作されて着用者の顔面に垂れたままで着用されるから、顔面から突出した外側鼻、すなわち外鼻に自然に密着しにくい問題点があった。
【０００７】
このような問題点を解決するために、本出願人は韓国実用新案登録出願（登録番号第２０−０４７６３９７号）を介して通気組立体を備えた顔面マスクを提案したことがある。
【０００８】
しかし、本出願人が提案した前記従来の顔面マスクは、通気組立体の構成部品が多くて製作が複雑であり、通気組立体が着用者の外鼻の形状に合わせて容易に密着するように凹部と切開溝を持っているが、人体工学的ではなくて鼻孔（鼻の孔）を完全に取り囲むことができない問題点があり、黄砂や微細ほこりを正常にフィルタリングすることができない問題点も持っていた。
【発明の概要】
【発明が解決しようとする課題】
【０００９】
本発明は、従来の顔面マスクが持っていた前記問題点を解決するために案出されたもので、その目的は、鼻孔の周りに隙間なく密着して鼻孔を完全に取り囲むように人体工学的機能性を大きく向上させた通気構造の鼻孔カバーを有する顔面マスクを提供することにある。
本発明の他の目的は、構成部品が少なくて製作が容易であり、着用が簡便な通気構造の鼻孔カバーを有する顔面マスクを提供することにある。
本発明のさらに他の目的は、黄砂や微細ほこりをフィルタリングする通気構造の鼻孔カバーを有する顔面マスクを提供することにある。
【課題を解決するための手段】
【００１０】
上記目的を達成するために、本発明は、着用者の鼻に対応する部位に通気孔が形成される顔面遮蔽部と、前記顔面遮蔽部に締結され、着用者の鼻孔に連通する１個以上の通気孔を有し、着用者の鼻孔の周りに密着する通気構造の鼻孔カバーとを含んでなる顔面マスクであって、前記鼻孔カバーが、前記通気孔の中央部を水平方向に横切り、胴体前面の左右側部にわたって形成される横溝と、胴体前面の中央及び左右側に、それぞれ前記横溝と交差して垂直方向に形成される中央縦溝及び左右縦溝と、前記左右縦溝との境界部に垂直方向に隆起した左右垂直端面部を有する左右側部と、胴体後面の通気孔から左右両端の方向に凹部と凸部が連結されてなる小鼻密着部とを含んでなり、前記左右縦溝を基準にして、前記小鼻密着部を含む胴体の左右側部が胴体の中央部に比べて相対的に大きな体積のバルキー（ｂｕｌｋｙ）な立体的形状を有する、通気構造の鼻孔カバーを有する顔面マスクを提供する。
本発明による顔面マスクは、前記鼻孔カバーに対応する顔面遮蔽部の外側面に着脱可能に付着されるマスクフィルターをさらに含む。
また、本発明による顔面マスクは、口を遮る前記顔面遮蔽部の部位に口のような形状に開けて使うことができる切開口を含む。
また、本発明による顔面マスクは、前記鼻孔カバーは、顔面遮蔽部との締結のために、その左右側部に締結用鉄片埋込部を含む。
前記顔面遮蔽部はその内外側に固定される締結具を含み、前記締結具は鼻孔カバーの締結用鉄片埋込部が磁力によって固着されるように締結用磁性体を含む。
【００１１】
ここで、前記顔面遮蔽部の内外側に固定される締結具は、顔面遮蔽部の内側に固定される内側締結具と、顔面遮蔽部の外側に固定される外側締結具とにそれぞれ分離されてなる内外側独立型締結具である。
【００１２】
また、ここで、前記顔面遮蔽部の内外側に固定される締結具は、内側締結具と外側締結具の上端部が互いに連結されることによって内側締結具と外側締結具が一体に成形される内外側一体型締結具である。
【００１３】
また、ここで、前記顔面遮蔽部の内外側に固定される締結具は、内側締結具と外側締結具が中央部の通気孔の周りで接合されてなる接合部と前記接合部の周りに形成される非接合部とからなる内外側接合型締結具である。
また、本発明による顔面マスクは、前記顔面遮蔽部の通気孔が外部に露出されないように顔面遮蔽部に固定的に付着される網糸布をさらに含む。
【００１４】
また、本発明は、着用者の鼻に対応する部位に通気孔が形成される顔面遮蔽部に締結され、着用者の鼻孔に連通する１個以上の通気孔を有し、着用者の鼻孔の周りに密着する通気構造の顔面マスク用鼻孔カバーであって、前記通気孔の中央部を水平方向に横切り、胴体前面の左右側部にわたって形成される横溝と、胴体前面の中央及び左右側に、それぞれ前記横溝と交差して垂直方向に形成される中央縦溝及び左右縦溝と、前記左右縦溝との境界部に垂直方向に隆起した左右垂直端面部を有する左右側部と、胴体後面の通気孔から左右両端の方向に凹部と凸部が連結されてなる小鼻密着部と、を含んでなり、前記左右縦溝を基準にして、前記小鼻密着部を含む胴体の左右側部が胴体の中央部に比べて相対的に大きな体積のバルキー（ｂｕｌｋｙ）な立体的形状を有する、顔面マスク用通気構造の鼻孔カバーを提供する。
【発明の効果】
【００１５】
本発明は、鼻孔の周りに隙間なく密着して鼻孔を完全に取り囲むように人体工学的機能性を大きく向上させた通気構造の鼻孔カバーを有する顔面マスクを提供する。
本発明は、構成部品が少なくて製作が容易であり、着用が簡便な通気構造の鼻孔カバーを有する顔面マスクを提供する。
【００１６】
本発明は、顔面マスク本体の外面に着脱可能に取り付けられるマスクフィルターを介して黄砂や微細ほこりをフィルタリングすることにより、野外活動の際、呼吸器疾患などのおそれを減らすことができる通気構造の鼻孔カバーを有する顔面マスクを提供する。
【図面の簡単な説明】
【００１７】
【図１】本発明の第１実施例による顔面マスクの分離斜視図である。
【図２】本発明の第１実施例による鼻孔カバーの斜視図である。
【図３】本発明の第１実施例による鼻孔カバーの正面図である。
【図４】本発明の第１実施例による鼻孔カバーの背面図である。
【図５】本発明の第２実施例による顔面マスクの分離斜視図である。
【図６】本発明の第３実施例による顔面マスクの分離斜視図である。
【図７】本発明の第３実施例による顔面マスクの内外側一体型締結具の斜視図である。
【図８】図７の内外側一体型締結具の前面を上に向けて広げた図である。
【図９】図７の内外側一体型締結具の後面を上に向けて広げた図である。
【図１０】本発明の第４実施例による顔面マスクの分離斜視図である。
【図１１】本発明の第４実施例による顔面マスクの内外側接合型締結具の前面を示す図である。
【図１２】図１１の内外側接合型締結具の後面を示す図である。
【図１３】本発明の第５実施例による顔面マスクの分離斜視図である。
【発明を実施するための形態】
【００１８】
以下、添付図面に基づいて本発明の実施のための具体的な内容を説明する。
そして、図面で同じ構成要素に対しては、たとえ他の図に示されていても同じ図面符号で示す。
【００１９】
また、本発明の説明において、関連した公知の機能又は公知の構成についての具体的な説明が本発明の要旨を不必要にあいまいにする可能性があると判断される場合にはその詳細な説明を省略する。
【００２０】
図１は本発明の第１実施例による顔面マスクの分離斜視図、図２は本発明の第１実施例による鼻孔カバーの斜視図、図３は本発明の第１実施例による鼻孔カバーの正面図、図４は本発明の第１実施例による鼻孔カバーの背面図である。
本発明の第１実施例よる顔面マスクは、大別して顔面遮蔽部１０、鼻孔カバー２０及びマスクフィルター３０からなる。
【００２１】
顔面遮蔽部１０は着用者の鼻に対応する部分に通気孔１１が形成されたもので、防風及び防寒性素材（冬季用）又は紫外線遮断性に優れた素材（夏季用）からなり、左右端部に形成されたベルクロテープ１４などの締結手段によって後頭部に固定される。
【００２２】
鼻孔カバー２０は着用者の鼻孔の周辺部に密着し、着用者の鼻孔に連通する１個以上の通気孔２１を有し、通気孔２１が顔面遮蔽部１０の通気孔１１に連通するように顔面遮蔽部１０の内側面に締結される。
【００２３】
前記通気構造の鼻孔カバー２０は、着用者ごとに異なる鼻先と上唇との間の距離に対する適応性を高めるために、鼻孔カバー２０の胴体を上下方に曲げたり広げたりすることが容易になるように、通気孔２１の中央部を水平方向に横切り、胴体前面の左右側部２９にわたって形成される横溝２２を有する。
【００２４】
また、前記通気構造の鼻孔カバー２０は着用者ごとに異なる小鼻（鼻先から左右側に膨らんでいる部分）の横幅に対する適応性を高めるために、左右方向に曲げたり広げたりすることが容易になるように、胴体前面の中央及び左右側に、それぞれ前記横溝２２と交差して垂直方向に形成される中央縦溝２３及び左右縦溝２３’を有する。また、前記通気構造の鼻孔カバー２０の左右側部２９は、前記左右縦溝２３’との境界部に垂直方向に隆起した左右垂直端面部２８を有する。
【００２５】
また、前記通気構造の鼻孔カバー２０は、顔面遮蔽部１０との密着締結のために、胴体の上端部前面に左右対称状の円弧部２４を有し、着用者の小鼻の周りを満たして小鼻に隙間なく密着するように胴体後面の通気孔２１から左右両端の方向に凹部２５ａと凸部２５ｂが連結されてなる小鼻密着部２５を有する。また、前記通気構造の鼻孔カバー２０は、前記左右縦溝２３’を基準にして前記小鼻密着部２５を含む胴体の左右側部２９が胴体の中央部に比べて相対的に大きな体積のバルキー（ｂｕｌｋｙ）な立体的形状を有する。
【００２６】
このように、鼻孔カバー２０が顔面遮蔽部１０に密着して締結されるとともに着用者の小鼻にも隙間なく密着することにより、顔面遮蔽部１０との締結部位及び小鼻の周りを通しての呼吸空気の出入を抑制する（呼吸空気が通気孔２１を通してのみ出入する）。
【００２７】
また、前記通気構造の鼻孔カバー２０は、鼻孔カバー２０を顔面遮蔽部１０に締結するための締結手段として、鼻孔カバー２０の左右外側部に締結孔２６をそれぞれ有し、顔面遮蔽部１０の外側から前記鼻孔カバー２０の左右締結孔２６に締結用リベット１２を締結することにより、鼻孔カバー２０の外側面を顔面遮蔽部１０の内側面に締結することができる。
鼻孔カバーは軟質の弾性体（シリコンゴム、ウレタンフォームなど）からなる。
【００２８】
マスクフィルター３０は鼻孔カバー２０に対応する顔面遮蔽部１０の外側面に着脱可能に付着されるものであり、着用者が呼吸過程で空気中の微細ほこりをフィルタリングする機能を果たす。
【００２９】
このように、マスクフィルター３０を着脱可能に付着することにより、微細ほこりが発生しない日にはマスクフィルター３０を付着せずに顔面マスクを着用し、微細ほこりが発生するときのみに顔面マスクに付着することができるので、顔面マスクの着用が簡便であり、マスクフィルター３０の汚染時には交替も容易である。
マスクフィルター３０の素材として多様な織物を使うことができるが、微細ほこりのフィルタリングに優れた黄砂マスク用不織布などが好ましい。
【００３０】
また、マスクフィルター３０は左右両側にしわ縁部３１を備えることが好ましい。これは、マスクフィルター３０が顔面遮蔽部１０に完全に密着することを防止して、マスクフィルター３０と顔面遮蔽部１０との間に空間部を形成することにより、着用者の呼吸をもっと円滑にするためである。
【００３１】
このように構成された本発明による顔面マスクは、顔面遮蔽部１０の外面に着脱可能に付着されるマスクフィルター３０によって、野外活動時に黄砂などの微細ほこりをフィルタリングすることができるので、呼吸器疾患などのおそれを減らすことができる。
【００３２】
また、本発明による顔面マスクは、口を遮ている顔面遮蔽部１０の部位に、口のような形状に開けて飲み物などを飲むか容易に対話するために、切開口１５を形成することもできる。
図５は本発明の第２実施例による顔面マスクの分離斜視図である。
【００３３】
本発明の第２実施例による顔面マスクは、顔面遮蔽部１０と鼻孔カバー２０の締結が第１実施例のように締結用リベット２１と鼻孔カバーの締結孔２６によらず、図５に示すように、鼻孔カバー２０の左右側部に備えられる締結用鉄片埋込部２７と顔面遮蔽部１０の内外側にそれぞれ備えられる内側締結具４０及び外側締結具５０によってなされる。
【００３４】
すなわち、鼻孔カバー２０の左右側部に備えられた締結用鉄片埋込部２７に対応するように、顔面遮蔽部１０の内側に備えられる内側締結具４０の左右側部に締結用磁性体４１を埋め込めば、これらの締結用磁性体４１の磁力によって締結用鉄片埋込部２７が締結用磁性体４１に固着して鼻孔カバー２０が顔面遮蔽部１０に締結される。
鼻孔カバー２０と顔面遮蔽部１０の締結に先立ち、内側締結具４０と外側締結具５０は縫着などの接合手段によって顔面遮蔽部１０の内外側に予め接合される。
【００３５】
図６は本発明の第３実施例による顔面マスクの分離斜視図、図７は本発明の第３実施例による顔面マスクの内外側一体型締結具の斜視図、図８は図７の内外側一体型締結具の前面を上に向けて広げた図、図９は図７の内外側一体型締結具の後面を上に向けて広げた図である。
【００３６】
図７〜図９に示したように、本発明の第３実施例による顔面マスクは、内側締結具６１と外側締結具６２の上端部が互いに連結されて内側締結具と外側締結具が一体に成形された内外側一体型締結具６０を含む。
【００３７】
そして、図６に示したように、前記内外側一体型締結具６０は顔面遮蔽部１０の上端に結合され、このように結合された内外側一体型締結具６０の通気孔６４の周辺部に縫着などの接合手段によって内外側一体型締結具６０が顔面遮蔽部１０に固定される。
【００３８】
本発明の第３実施例による顔面マスクは、鼻孔カバーの締結用鉄片埋込部２７が顔面遮蔽部１０に接合された内外側一体型締結具６０の内側締結具６１に埋め込まれた締結用磁性体６５に磁力によって固着されることにより、鼻孔カバー２０の外側面が顔面遮蔽部１０の内側面に締結される。
【００３９】
図１０は本発明の第４実施例による顔面マスクの分離斜視図、図１１は本発明の第４実施例による顔面マスクの内外側接合型締結具の前面を示す図、図１２は図１１の内外側接合型締結具の後面を示す図である。
【００４０】
図１１及び図１２に示したように、本発明の第４実施例による顔面マスクは、内側締結具７１と外側締結具７２が中央部の通気孔７５の周りで互いに接合されて形成される接合部７３と前記接合部７３の周りに形成される非接合部７４とを含んでなる内外側接合型締結具７０を備える。
【００４１】
そして、前記内外側接合型締結具７０を顔面遮蔽部１０の通気孔１１に押し入れて内外側接合型締結具７０の非接合部７４に顔面遮蔽部１０の通気孔１１の周辺部を押し入れれば、図１０に示したように、内外側接合型締結具７０が顔面遮蔽部１０の通気孔１１の周りに結合される。
【００４２】
このように結合された内外側接合型締結具７０の通気孔７５の周辺部に縫着などの接合手段を適用することにより、内外側接合型締結具７０が顔面遮蔽部１０に固定される。
【００４３】
本発明の第４実施例による顔面マスクは、鼻孔カバー２０の締結用鉄片埋込部２７が顔面遮蔽部１０に接合された内外側接合型締結具７０の内側締結具７１に埋め込まれた締結用磁性体７６に磁力によって固着されることにより、鼻孔カバー２０の外側面が顔面遮蔽部１０の内側面に締結される。
【００４４】
図示されていないが、鼻孔カバー２０を顔面遮蔽部１０に締結する方法として、鼻孔カバー２０の左右側部に締結用突部を形成し、内側締結具７１の対応部に締結用孔部を形成し、前記突部と孔部を締結することにより、鼻孔カバー２０の外側面が顔面遮蔽部１０の内側面に締結されることができる。
図１３は本発明の第５実施例による顔面マスクの分離斜視図である。
【００４５】
本発明の第５実施例による顔面マスクは顔面遮蔽部１０に網糸布８０を固定的に取り付けたものであり、網糸布８０は、顔面マスクにマスクフィルター３０を付着しない場合、顔面遮蔽部１０又は締結具５０、６０、７０の通気孔１１、６４、７５が外部に露出されないようにする。
以上では本発明の技術思想を添付図面に基づいて敍述したが、これは本発明の好適な実施例を例示的に説明したもので、本発明を限定するものではない。
また、本発明が属する技術分野で通常の知識を有する者であれば誰でも本発明の技術的思想の範疇を離脱しない範疇内で多様な変形及び模倣が可能であろう。
【産業上の利用可能性】
【００４６】
本発明による通気構造の鼻孔カバーを有する顔面マスクは、鼻孔の周りに隙間なく密着して鼻孔を完全に取り囲むように人体工学的機能性を大きく向上させたものであり、構成部品が少なくて製作が容易であり、着用が簡便であり、顔面マスク本体の外面に着脱可能に付着されるマスクフィルターによって黄砂や微細ほこりをフィルタリングすることにより、野外活動の際、呼吸器疾患などのおそれを減らすことができるので、レジャースポーツ、保健産業上に適用可能である。
【符号の説明】
【００４７】
１０    顔面遮蔽部
１１    通気孔
１２    締結用リベット
１３    ベルクロテープ
１４    ベルクロテープ
１５    切開口
２０    鼻孔カバー
２１    通気孔
２２    横溝
２３    中央縦溝
２３’    左右縦溝
２４    円弧部
２５    小鼻密着部
２５ａ    凹部
２５ｂ    凸部
２６    締結孔
２７    締結用鉄片埋込部
２８    垂直端面部
２９    側部
３０    フィルターマスク
３１    しわ縁部
４０    内側締結具
４１    締結用磁性体
５０    外側締結具
６０    内外側一体型締結具
６１    内側締結具
６２    外側締結具
６３    内外側境界部
６４    通気孔
６５    締結用磁性体
７０    内外側接合型締結具
７１    内側締結具
７２    外側締結具
７３    接合部
７４    非接合部
７５    通気孔
７６    締結用磁性体
８０    網糸布
【図１】
2021505785.tif 000003
【図２】
2021505785.tif 000004
【図３】
2021505785.tif 000005
【図４】
2021505785.tif 000006
【図５】
2021505785.tif 000007
【図６】
2021505785.tif 000008
【図７】
2021505785.tif 000009
【図８】
2021505785.tif 000010
【図９】
2021505785.tif 000011
【図１０】
2021505785.tif 000012
【図１１】
2021505785.tif 000013
【図１２】
2021505785.tif 000014
【図１３】
2021505785.tif 000015
【国際調査報告】
2021505785.tif 000016
2021505785.tif 000017
2021505785.tif 000018
2021505785.tif 000019